(57)【要約】【課題】ナイフ、フォークの運びをメタファ（喩え）としてとらえた判り易く、且つ間違いにくい多点入力操作を可能とする電子機器の操作方法及び操作プログラムを提供する【解決手段】本発明に係る電子機器の操作方法及び操作プログラム３８は、ユーザが実生活で行うナイフ、フォークの動きをメタファとしてタッチパネル２２の入力操作に適用する。このため、ユーザはタッチパネル２２への多点入力操作を直感的に行うことができる。また、多点入力操作とそれと対応する動作指示を容易に覚えることができる。これにより、タッチパネル２２の入力操作において、判り易く且つ間違いにくい入力操作を実現することができる。【選択図】図２
2014002632.tif 000002
【特許請求の範囲】
【請求項１】
多点入力が可能なタッチパネルを備えた電子機器の操作方法であって、
前記タッチパネルを介して操作可能な他のプログラムが動作した状態で、
前記タッチパネルへの第１のタッチ操作を認識するステップと、
前記第１のタッチ操作により任意のコンテンツが選択された後、前記タッチパネルをタッチし続ける第１のタッチ操作のホールド操作が行われ、更にこのホールド操作の継続中に他の操作具による第２のタッチ操作が行われた場合、前記第２のタッチ操作の確定後に、前記コンテンツに対する動作指示を前記第２のタッチ操作の内容に応じて選択し、前記他のプログラム側に出力するステップと、
を有することを特徴とする電子機器の操作方法。
【請求項２】
多点入力が可能なタッチパネルを備えた電子機器に対する操作プログラムであって、
前記タッチパネルを介して操作可能な他のプログラムが動作した状態で、
前記タッチパネルへの第１のタッチ操作を認識する手順と、
前記第１のタッチ操作により任意のコンテンツが選択された後、前記タッチパネルをタッチし続ける第１のタッチ操作のホールド操作が行われ、更にこのホールド操作の継続中に他の操作具による第２のタッチ操作が行われた場合、前記第２のタッチ操作の確定後に、前記コンテンツに対する動作指示を前記第２のタッチ操作の内容に応じて選択し、前記他のプログラム側に出力する手順と、
を有することを特徴とする操作プログラム。
【請求項３】
多点入力が可能なタッチパネルを備えた電子機器の操作方法であって、
前記タッチパネルを介して操作可能な他のプログラムが動作している状態で、
前記タッチパネルへのタッチ操作を認識するステップと、
前記タッチパネルに対するタッチ操作が第１の操作具による第１のタッチ操作であるか、第２の操作具による第２のタッチ操作であるかを判別するステップと、
第１のタッチ操作もしくは第２のタッチ操作により任意のコンテンツが選択された後、前記タッチパネルをタッチし続ける第１のタッチ操作のホールド操作が行われ、更にこのホールド操作の継続中に第２のタッチ操作が行われた場合、前記第２のタッチ操作の確定後に、前記コンテンツに対する動作指示を前記第２のタッチ操作の内容に応じて選択し、前記他のプログラム側に出力するステップと、
を有することを特徴とする電子機器の操作方法。
【請求項４】
多点入力が可能なタッチパネルを備えた電子機器に対する操作プログラムであって、
前記タッチパネルを介して操作可能な他のプログラムが動作している状態で、
前記タッチパネルへのタッチ操作を認識する手順と、
前記タッチパネルに対するタッチ操作が第１の操作具による第１のタッチ操作であるか、第２の操作具による第２のタッチ操作であるかを判別する手順と、
第１のタッチ操作もしくは第２のタッチ操作により任意のコンテンツが選択された後、前記タッチパネルをタッチし続ける第１のタッチ操作のホールド操作が行われ、更にこのホールド操作の継続中に第２のタッチ操作が行われた場合、前記第２のタッチ操作の確定後に、前記コンテンツに対する動作指示を前記第２のタッチ操作の内容に応じて選択し、前記他のプログラム側に出力する手順と、
を有することを特徴とする操作プログラム。
【請求項５】
第１のタッチ操作のホールド操作中に、タッチパネルの画面を奥から手前にスライドする第２のタッチ操作が行われた場合、選択コンテンツに対する複写の動作指示を選択し、
第１のタッチ操作のホールド操作中に、タッチパネルの画面を左から右にスライドする第２のタッチ操作が行われた場合、選択コンテンツに対する貼り付けの動作指示を選択することを特徴とする請求項２又は請求項４に記載の操作プログラム。
【請求項６】
第１のタッチ操作に対しフォークを模したポインタをタッチパネルの画面上に表示する手順と、
第２のタッチ操作に対しナイフを模したポインタをタッチパネルの画面上に表示する手順と、
を更に有することを特徴とする請求項２又は請求項４又は請求項５のいずれかに記載の操作プログラム。
【発明の詳細な説明】
【技術分野】
【０００１】
本発明は、タッチパネルを備えた電子機器の操作方法及び操作プログラムに関し、特にユーザにとって判り易い多点入力操作を可能とする電子機器の操作方法及び操作プログラムに関するものである。
【背景技術】
【０００２】
現在、コンピュータ等の電子機器への入力操作は、キーボードとマウスとを併用した方法が一般的である。特にマウスによる入力操作では、マウスを移動させることで画面上のポインタを移動させ、このポインタを表示画面上の目的のアイコンに位置させるとともに、マウスに設置されたボタンを押下（クリック）することにより選択したアイコンと対応するコンテンツへの動作指示を行う。
【０００３】
一方、携帯通信機器やタブレット型端末等の電子機器においては、入力手段にタッチパネルを採用した製品が多く商品化されている。このタッチパネルは画面上に表示されたアイコンや操作画面をユーザが直接触れることで電子機器に対する入力操作を行う。そして、これらの電子機器では入力操作の多様化に対応するために、複数のタッチ操作を同時に認識可能な多点入力式のタッチパネルを採用する傾向にある。
【０００４】
ただし、このような多点入力が可能なタッチパネルでは、複数の操作具（ユーザの指を含む）による多点入力操作が要求される場合がある。この多点入力操作は、タッチパネルに触れる離すといった従来の単純なタッチ操作ではなく、タッチパネルを触れながら動かす、所謂スライド操作やドラッグ操作を組み合わせたものが存在する。そして、これらの多点入力操作時の動きは、実生活では通常行わない動作であるものも多い。このため、ユーザは多点入力操作とそれと対応する動作指示を覚える必要がある。
【０００５】
この問題点に対し、下記［特許文献１］では、ユーザが多点入力操作を正確に行えない場合に、候補となる案内軌跡を表示して正確な多点入力操作をサポートする発明が開示されている。
【先行技術文献】
【特許文献】
【０００６】
【特許文献１】特開２００６−３３１２１０号公報
【発明の概要】
【発明が解決しようとする課題】
【０００７】
しかしながら、ユーザにとっては実生活に則した判り易い多点入力操作の実現が望ましいといえる。
【０００８】
本発明は上記事情に鑑みてなされたものであり、ナイフ、フォークの運びをメタファ（喩え）としてとらえた、判り易く間違いにくい多点入力操作を可能とする電子機器の操作方法及び操作プログラムを提供することを目的とする。
【課題を解決するための手段】
【０００９】
本発明は、
（１）多点入力が可能なタッチパネル２２を備えた電子機器２０の操作方法であって、前記タッチパネル２２を介して操作可能な他のプログラム１０が動作した状態で、
前記タッチパネル２２への第１のタッチ操作を認識するステップと、
前記第１のタッチ操作により任意のコンテンツが選択された後、前記タッチパネル２２をタッチし続ける第１のタッチ操作のホールド操作が行われ、更にこのホールド操作の継続中に他の操作具による第２のタッチ操作が行われた場合、前記第２のタッチ操作の確定後に、前記コンテンツに対する動作指示を前記第２のタッチ操作の内容に応じて選択し、前記他のプログラム１０側に出力するステップと、を有することを特徴とする電子機器の操作方法を提供することにより、上記課題を解決する。
（２）多点入力が可能なタッチパネル２２を備えた電子機器２０に対する操作プログラムであって、前記タッチパネル２２を介して操作可能な他のプログラム１０が動作した状態で、
前記タッチパネル２２への第１のタッチ操作を認識する手順と、
前記第１のタッチ操作により任意のコンテンツが選択された後、前記タッチパネル２２をタッチし続ける第１のタッチ操作のホールド操作が行われ、更にこのホールド操作の継続中に他の操作具による第２のタッチ操作が行われた場合、前記第２のタッチ操作の確定後に、前記コンテンツに対する動作指示を前記第２のタッチ操作の内容に応じて選択し、前記他のプログラム１０側に出力する手順と、を有することを特徴とする操作プログラム３８を提供することにより、上記課題を解決する。
（３）多点入力が可能なタッチパネル２２を備えた電子機器２０の操作方法であって、前記タッチパネル２２を介して操作可能な他のプログラム１０が動作している状態で、
前記タッチパネル２２へのタッチ操作を認識するステップと、
前記タッチパネル２２に対するタッチ操作が第１の操作具による第１のタッチ操作であるか、第２の操作具による第２のタッチ操作であるかを判別するステップと、
第１のタッチ操作もしくは第２のタッチ操作により任意のコンテンツが選択された後、前記タッチパネル２２をタッチし続ける第１のタッチ操作のホールド操作が行われ、更にこのホールド操作の継続中に第２のタッチ操作が行われた場合、前記第２のタッチ操作の確定後に、前記コンテンツに対する動作指示を前記第２のタッチ操作の内容に応じて選択し、前記他のプログラム側に出力するステップと、を有することを特徴とする電子機器の操作方法を提供することにより、上記課題を解決する。
（４）多点入力が可能なタッチパネル２２を備えた電子機器２０に対する操作プログラムであって、前記タッチパネル２２を介して操作可能な他のプログラム１０が動作している状態で、
前記タッチパネル２２へのタッチ操作を認識する手順と、
前記タッチパネル２２に対するタッチ操作が第１の操作具による第１のタッチ操作であるか、第２の操作具による第２のタッチ操作であるかを判別する手順と、
第１のタッチ操作もしくは第２のタッチ操作により任意のコンテンツが選択された後、前記タッチパネル２２をタッチし続ける第１のタッチ操作のホールド操作が行われ、更にこのホールド操作の継続中に第２のタッチ操作が行われた場合、前記第２のタッチ操作の確定後に、前記コンテンツに対する動作指示を前記第２のタッチ操作の内容に応じて選択し、前記他のプログラム１０側に出力する手順と、を有することを特徴とする操作プログラム３８を提供することにより、上記課題を解決する。
（５）第１のタッチ操作のホールド操作中に、タッチパネル２２の画面を奥から手前にスライドする第２のタッチ操作が行われた場合、選択コンテンツに対する複写の動作指示を選択し、
第１のタッチ操作のホールド操作中に、タッチパネル２２の画面を左から右にスライドする第２のタッチ操作が行われた場合、選択コンテンツに対する貼り付けの動作指示を選択することを特徴とする上記（２）又は（４）に記載の操作プログラム３８を提供することにより、上記課題を解決する。
（６）第１のタッチ操作に対しフォークを模したポインタをタッチパネル２２の画面上に表示する手順と、第２のタッチ操作に対しナイフを模したポインタをタッチパネル２２の画面上に表示する手順と、を更に有することを特徴とする上記（２）又は（４）又は（５）のいずれかに記載の操作プログラム３８を提供することにより、上記課題を解決する。
【発明の効果】
【００１０】
本発明によれば、ユーザにとって判り易く、且つ間違いにくい多点入力操作を実現することができる。
【図面の簡単な説明】
【００１１】
【図１】本発明を適用する電子機器のブロック図である。
【図２】本発明の第１の形態を説明するフローチャートである。
【図３】本発明の第２の形態を説明するフローチャートである。
【図４】本発明の多点入力操作の内容と動作を説明する図である。
【図５】本発明の多点入力操作の内容と動作を説明する図である。
【図６】本発明の多点入力操作の内容と動作を説明する図である。
【発明を実施するための形態】
【００１２】
先ず、本発明に係る電子機器の操作方法及び操作プログラムの概要を説明する。本発明に係る電子機器の操作方法及び操作プログラムは、電子機器に対する多点入力操作に洋食におけるナイフ、フォークの動きをメタファとして適用するものである。ここで、ナイフ、フォークを用いた食事作法では、左手でフォークを持ち、これを主に食材の固定に用いる。また、右手でナイフを持ちこれを主に食材の切り分け等の動作に用いる。よって、本願発明は、左側の操作具をフォークに見立てて、これを基本的にコンテンツの選択、即ち動作対称の特定に用い、また右側の操作具をナイフに見立てて、これを基本的に選択コンテンツへの動作指示に用いるものである。
【００１３】
次に、本発明に係る電子機器の操作方法及び操作プログラムについて図面に基づいて説明する。先ず、本発明を適用する電子機器２０に関して説明を行う。図１に示す電子機器２０は、タッチパネル２２と処理部２６と記録部１８とを有している。タッチパネル２２は画面表示を行うとともにパネル面へのタッチ操作を認識し、これを入力情報として処理部２６へ出力する。尚、タッチパネル２２は複数のタッチ操作を認識可能な多点入力式のものが用いられる。処理部２６は電子機器２０を制御する演算素子であり、タッチパネル２２からの入力情報を取得して後述の処理を行うとともに、各プログラムの実行と電子機器２０の図示しない各部の制御を行う。また、記録部１８は周知のハードディスクや半導体メモリ等であり、他のプログラム１０と操作プログラム３８と各種電子データ等を記録する。尚、図１においては処理部２６内に他のプログラム１０及び操作プログラム３８を図示したが、これは他のプログラム１０及び操作プログラム３８の実行を意味し、実際は記録部１８から適宜プログラムが読み出されて実行される。
【００１４】
次に、本発明に係る電子機器の操作方法及び操作プログラム３８の第１の形態の動作を図２のフローチャートを用いて説明する。尚、本発明に係る第１の形態の電子機器の操作方法及び操作プログラムは、タッチ操作を行う操作具を判別しない方式の操作方法及び操作プログラムである。よって、第１の形態ではタッチパネル２２に対する１点目のタッチ操作が第１のタッチ操作となり、第１のタッチ操作のホールド操作中に行われる２点目のタッチ操作が第２のタッチ操作となる。また、第１の形態では操作具を判別しないため、特別な操作具を必要としない。よって、操作具としてはユーザの手指や一般的なスタイラス等を用いることができる。
【００１５】
先ず、電子機器２０の処理部２６が他のプログラム１０を起動する。ここで、他のプログラム１０とはタッチパネル２２を介して入力操作が可能なプログラムであり、基本的にはＯＳ（オペレーティングシステム（Ｏｐｅｒａｔｉｎｇ  Ｓｙｓｔｅｍ））プログラムである。
【００１６】
他のプログラム１０（ＯＳプログラム）が起動すると、処理部２６は例えば図４（ａ）に示すような画面をタッチパネル２２上に表示させる。ここで、図４（ａ）の表示画面には、複数のアイコン３０ａ〜３０ｄが表示されている。これらアイコン３０はデータやプログラム等のコンテンツとそれぞれ関連付けられており、これらアイコン３０を表示画面上で選択することによりこれと対応するコンテンツが選択状態となる。
【００１７】
次に、処理部２６が操作プログラム３８を起動する（ステップＳ１００）。この操作プログラム３８の起動は、ユーザがタッチパネル２２等を操作して起動指示を行っても良いし、処理部２６がスタートアップで自動的に起動するようにしても良い。尚、本発明に係る電子機器の操作方法及び操作プログラム３８は、食事におけるナイフ、フォークの運びをメタファとするものである。よって、操作プログラム３８の起動中の画面背景には、図４（ａ）に示すように、皿の画像を表示するようにしても良い。
【００１８】
次に、操作プログラム３８はタッチパネル２２に対するタッチ操作（第１のタッチ操作）が行われるまで待機する（ステップＳ１０２）。尚、第１のタッチ操作の待機中に所定の終了操作が行われた場合（ステップＳ３００  Ｙｅｓ）、処理部２６は操作プログラム３８を終了する（ステップＳ３２０）。
【００１９】
ユーザがタッチパネル２２に対する第１のタッチ操作を行うと（ステップＳ１０２  Ｙｅｓ）、この第１のタッチ操作の入力情報が処理部２６に出力される。タッチパネル２２に対するタッチ操作の入力情報としては、主に操作具が触れたタッチパネル２２上の位置情報と、操作具がタッチパネル２２に触れてから離れるまでの時間（ステップ数）とで構成される。タッチパネル２２に第１のタッチ操作が行われ処理部２６に入力情報が入力すると、操作プログラム３８側がこの入力情報を取得する（ステップＳ１０３）。尚、操作プログラム３８の起動中はタッチ操作の入力情報は全て操作プログラム３８側が取得し、他のプログラム１０側に直接伝達することはない。
【００２０】
次に、操作プログラム３８は取得した入力情報から、この第１のタッチ操作がホールド操作であるか否かを判別する（ステップＳ１０６）。ここで、ホールド操作とは、タッチパネル２２の一点を所定の時間以上タッチし続ける操作である。尚、ホールド操作の時間判別は上記の入力情報のステップ数のカウントにより行われる。
【００２１】
そして、この第１のタッチ操作がホールド操作以外の操作、例えばタッチパネル２２上を移動するスライド操作、もしくは、同一位置を短時間タッチするタップ操作の場合（ステップＳ１０６  Ｎｏ）、操作プログラム３８はこの第１のタッチ操作の内容と対応する動作指示を選択し（ステップＳ２０４）、他のプログラム１０側に出力する（ステップＳ２０２）。そして、タッチパネル２２に対する入力操作の待機ステップ（ステップＳ１０２）に移行する。
【００２２】
これにより、他のプログラム１０はステップＳ２０４で選択された動作指示に応じた動作を行う。例えば、操作具でアイコン３０をタッチしそのままスライドさせる第１のタッチ操作を行うと、操作プログラム３８はアイコン３０を表示画面上で移動させる動作指示を他のプログラム１０側に出力する。これにより、他のプログラム１０はアイコン３０を操作具とともに移動させる画面表示を行う。また、例えばアイコン３０をタップ操作すると、操作プログラム３８はアイコン３０と対応するコンテンツを選択する動作指示を他のプログラム１０側に出力する。これにより、他のプログラム１０はアイコン３０と対応するコンテンツを選択状態とする。
【００２３】
また、タッチパネル２２に対して行われたタッチ操作がホールド操作の場合（ステップＳ１０６  Ｙｅｓ）、このホールド操作の継続中に他の操作具による第２のタッチ操作が行われたか否かを判別する（ステップＳ１０８）。ホールド操作の継続中に第２のタッチ操作が行われず（ステップＳ１０８  Ｎｏ）、操作具がタッチパネル２２から離れてホールド操作が終了した場合（ステップＳ１１０  Ｙｅｓ）、操作プログラム３８はホールド操作で選択されたアイコン３０の切取り動作指示を選択し（ステップＳ２００）、他のプログラム１０側に出力する（ステップＳ２０２）。そして、入力操作の待機ステップ（ステップＳ１０２）に移行する。これにより、他のプログラム１０はホールド操作で選択されたアイコン３０もしくはアイコン３０と対応したコンテンツの切取り処理を行う。尚、ホールド操作による切取り動作は、目的のアイコン３０にフォークを刺してタッチパネル２２から離す（皿から持ち上げる）ことをイメージさせる入力操作である。
【００２４】
また、ホールド操作の継続中に第２のタッチ操作が行われ、その後、この第２のタッチ操作が確定、即ち第２のタッチ操作を行った操作具がタッチパネル２２から離れた場合（ステップＳ１０８  Ｙｅｓ）、操作プログラム３８は行われた第２のタッチ操作の内容と対応する動作指示を選択し（ステップＳ１１４）、他のプログラム１０側に出力する（ステップＳ２０２）。その後、入力操作の待機ステップ（ステップＳ１０２）に移行する。これにより、他のプログラム１０は選択されたコンテンツに対してステップＳ１１４で選択された動作処理を行う。尚、第２のタッチ操作の内容とこれと対応する動作指示に関しては後に詳述する。
【００２５】
次に、本発明に係る電子機器の操作方法及び操作プログラム３８の第２の形態の動作を図３のフローチャートを用いて説明する。尚、第２の形態の電子機器の操作方法及び操作プログラムは、タッチ操作を行う操作具の判別を行う方式の操作方法及び操作プログラムである。
【００２６】
先ず、電子機器２０の処理部２６が他のプログラム１０を起動する。次に、処理部２６が操作プログラム３８を起動する（ステップＳ１００）。そして、操作プログラム３８はタッチパネル２２に対する入力操作が行われるまで待機する（ステップＳ１０２）。尚、入力操作の待機中に所定の終了操作が行われた場合（ステップＳ３００  Ｙｅｓ）、処理部２６は操作プログラム３８を終了する（ステップＳ３２０）。
【００２７】
ユーザがタッチパネル２２に対するタッチ操作を行うと（ステップＳ１０２  Ｙｅｓ）、操作プログラム３８側がこの入力情報を取得する（ステップＳ１０３）。次に、操作プログラム３８は、このタッチ操作が第１の操作具によるものか、第２の操作具によるものかを判別する（ステップＳ１０４）。
【００２８】
操作具の判別方法としては、例えば以下のものが挙げられる。先ず、第１の操作具の接触面の面積と第２の操作具の接触面の面積とを異なるものとしておき、タッチパネル２２にタッチした時の接触面積により第１の操作具と第２の操作具とを判別する手法である。また、第１の操作具の接触面の形状と第２の操作具の接触面の形状を異なる形状、例えば矩形、鉤型、三角形等としておき、タッチパネル２２にタッチした時の接触面の形状により第１の操作具と第２の操作具とを判別するようにしても良い。また、第１の操作具及び第２の操作具の接触部を複数の接触点で構成し、この接触点の数や配置を第１の操作具と第２の操作具とで異なるものとしておき、タッチパネル２２にタッチした時の接触点の数や配置で第１の操作具と第２の操作具とを判別するようにしても良い。これらの手法では、第１の操作具もしくは第２の操作具の入力情報により操作具の判別を行うことができる。よって、電子機器２０に操作具に対する特別な判別手段を設ける必要がない。また、電子機器２０が操作具のＩＤを認識する構成を備えている場合には、第１の操作具及び第２の操作具のそれぞれに異なる操作具ＩＤを付与し、この操作具ＩＤにより第１の操作具と第２の操作具とを判別するようにしても良い。
【００２９】
尚、第１の操作具と第２の操作具との判別は、少なくとも一方の操作具の判別が可能であれば良い。この構成によれば、第１の操作具に判別可能な操作具を用いて、第２の操作具にユーザの手指や一般的なスタイラス等を用いることができる。本例では、タッチパネル２２に対して行われたタッチ操作が第１の操作具によるものか否かを判別し、第１の操作具以外の操作具によるタッチ操作を第２の操作具による第２のタッチ操作とする例を説明する。
【００３０】
上記のステップＳ１０４において、タッチパネル２２に対して行われたタッチ操作が第１の操作具以外の操作具のものと判別された場合（ステップＳ１０４  Ｎｏ）、操作プログラム３８はこのタッチ操作を第２の操作具による第２のタッチ操作と判別する。そして、この第２のタッチ操作の確定後に、この第２のタッチ操作の内容と対応する動作指示を第２のタッチ操作単独時の動作指示カテゴリー内から選択し（ステップＳ２０６）、他のプログラム１０側に出力する（ステップＳ２０２）。そして、入力操作の待機ステップ（ステップＳ１０２）に移行する。これにより、他のプログラム１０はステップＳ２０６で選択された動作処理を行う。
【００３１】
尚、操作プログラム３８では、第２の操作具でアイコン３０をタッチしてスライド操作を行った場合、タッチしたアイコン３０の移動動作指示を他のプログラム１０側に出力する。これは、ナイフで目的のアイコン３０（食材）を寄せる（移動させる）ことをイメージさせる入力操作である。
【００３２】
また、ステップＳ１０４において、タッチパネル２２に対して行われたタッチ操作が第１の操作具による第１のタッチ操作と判別された場合（ステップＳ１０４  Ｙｅｓ）、操作プログラム３８はこの第１のタッチ操作がホールド操作であるか否かを判別する（ステップＳ１０６）。そして、この第１のタッチ操作がホールド操作以外の操作の場合（ステップＳ１０６  Ｎｏ）、操作プログラム３８はこのタッチ操作の確定後に、この第１のタッチ操作の内容と対応する動作指示を第１のタッチ操作単独時の動作指示カテゴリー内から選択し（ステップＳ２０８）、他のプログラム１０側に出力する（ステップＳ２０２）。そして、入力操作の待機ステップ（ステップＳ１０２）に移行する。これにより、他のプログラム１０はステップＳ２０８で選択された動作処理を行う。
【００３３】
このように第２の形態の電子機器の操作方法及び操作プログラム３８では、第１のタッチ操作の単独操作時と第２のタッチ操作の単独操作時とに、別の動作指示を割り当てることができる。尚、本願の操作プログラム３８では、第１のタッチ操作単独のスライド操作にポインタの移動動作を割り当て、タップ操作にコンテンツの選択動作を割り当てる。また、第２のタッチ操作単独のスライド操作に前述のコンテンツの移動動作を割り当て、タップ操作には第１のタッチ操作と同様にコンテンツの選択動作を割り当てる。また、第２のタッチ操作単独のホールド操作には特に動作を割り当てない。尚、第１のタッチ操作による連続タップ操作には、コンテンツの複数選択動作を割り当てる。これはフォークでコンテンツを次々に突き刺す動作をイメージさせる入力操作である。
【００３４】
また、第１のタッチ操作がホールド操作の場合（ステップＳ１０６  Ｙｅｓ）、このホールド操作の継続中に第２の操作具（第１の操作具以外の操作具）により第２のタッチ操作が行われたか否かを判別する（ステップＳ１０８）。そして、ホールド操作の継続中に第２のタッチ操作が行われず（ステップＳ１０８  Ｎｏ）、第１の操作具がタッチパネル２２から離れてホールド操作が終了した場合（ステップＳ１１０  Ｙｅｓ）、操作プログラム３８はホールド操作で選択されたコンテンツの切取り動作指示を選択し（ステップＳ２００）、他のプログラム１０側に出力する（ステップＳ２０２）。そして、入力操作の待機ステップ（ステップＳ１０２）に移行する。これにより、他のプログラム１０はホールド操作で選択されたコンテンツの切取り処理を行う。
【００３５】
また、ホールド操作の継続中に第２の操作具による第２のタッチ操作が行われ、その後、この第２のタッチ操作が確定した場合（ステップＳ１０８  Ｙｅｓ）、操作プログラム３８はホールド操作中における第２のタッチ操作の内容と対応する動作指示を選択し（ステップＳ１１４）、他のプログラム１０側に出力する（ステップＳ２０２）。その後、入力操作の待機ステップ（ステップＳ１０２）に移行する。これにより、他のプログラム１０は選択コンテンツに対してステップＳ１１４で選択された動作処理を行う。
【００３６】
次に、ホールド操作中の第２のタッチ操作の内容とこれと対応する動作指示に関して説明を行う。尚、ここでは本願のメタファをより明確に説明するため、フォークを模した第１の操作具４０ａと、ナイフを模した第２の操作具４０ｂとを用いた例を示す。無論、第１の操作具４０ａ、第２の操作具４０ｂの形状はこれに限定されるものではない。また、前述の第１の形態では、第１の操作具４０ａと第２の操作具４０ｂとの判別を行うことはできない。
【００３７】
先ず、図４(ｂ)に示すように、第１の操作具４０ａで例えばフォルダアイコン３０ａの表示位置をホールド操作する。これにより、ホールド操作されているフォルダアイコン３０ａが選択状態となる。次に、第２のタッチ操作としてホールド操作位置の近傍において第２の操作具４０ｂによるタップ操作を行う。この多点入力操作が行われた場合、操作プログラム３８は選択コンテンツの実行の動作指示を選択し、他のプログラム１０側に出力する。これにより、他のプログラム１０は選択コンテンツの実行を行う。ここでは、選択されたコンテンツがフォルダアイコン３０ａであるため、他のプログラム１０は、図４(ｃ)に示すように、フォルダアイコン３０ａが開いたウィンドウ表示３２をタッチパネル２２上に表示する。尚、この多点入力操作はフォークで押さえたコンテンツにナイフを添える動作、即ち食事を開始（実行）する動作をイメージさせる多点入力操作である。
【００３８】
また、この多点入力操作を例えば画像データアイコン３０ｂに対して行えば、操作プログラム３８は画像データアイコン３０ｂと対応するコンテンツ（画像データ）の実行指示を他のプログラム１０に出力する。これにより、他のプログラム１０は画像再生プログラムを起動するとともに、画像データアイコン３０ｂと対応する画像データの再生を行う。
【００３９】
尚、操作プログラム３８ではホールド操作位置を中心に所定の半径の境界線４２をタッチパネル２２上に設定し、これの内外によってホールド操作位置の遠近を判断する。
【００４０】
また、図４(ｄ)に示すように、第１の操作具４０ａで例えば画像データアイコン３０ｂをホールド操作した後、第１の操作具４０ａをタッチパネル２２から離してホールド操作を確定する。これにより、画像データアイコン３０ｂは切取り動作処理される。
【００４１】
次に、表示画面上の所定の貼り付け位置で第１の操作具４０ａをホールド操作する。ここでは、図４(ｅ)に示すように、第１の操作具４０ａをウィンドウ表示３２内でホールド操作する。これにより、貼り付け場所としてフォルダＡが選択される。次に、第２の操作具４０ｂをホールド操作位置の近傍から遠方に向け左から右にスライドさせる第２のタッチ操作を行う。そして、第２の操作具４０ｂをタッチパネル２２から離し第２のタッチ操作を確定する。この多点入力操作が行われた場合、操作プログラム３８は選択コンテンツの貼り付けの動作指示を選択し、他のプログラム１０側に出力する。これにより、他のプログラム１０は、画像データアイコン３０ｂと対応する画像データをフォルダＡ内に貼り付ける。また、図４(ｆ)に示すように、フォルダＡのウィンドウ表示３２内に画像データアイコン３０ｂを移動する。尚、この多点入力操作はフォークに刺さっている選択コンテンツ（画像データアイコン３０ｂ）を目的の場所（ウィンドウ表示３２）に置き、ナイフ（第２の操作具４０ｂ）でフォークに刺さった選択コンテンツを外す動作をイメージさせる多点入力操作である。
【００４２】
尚、操作プログラム３８では操作具（第２の操作具４０ｂ）が境界線４２を横断することで第２のタッチ操作が行われたことを認識する。この構成によれば、ホールド操作中の第２のタッチ操作に比較的長いスライド操作が必要となり、ホールド操作時の第２のタッチ操作の誤入力を防止することができる。尚、タッチパネル２２上にホールド操作時の第２のタッチ操作の軌跡を表示し、且つ境界線４２の内外で軌跡の色を例えば赤から白に変化させるようにしても良い。この構成によれば、ユーザはホールド操作中の第２のタッチ操作の軌跡及び境界線４２の横断の目視が可能となり、上記の多点入力操作を確実に行うことができる。
【００４３】
また、図５(ａ)に示すように、第１の操作具４０ａで例えば画像データアイコン３０ｃの表示位置をホールド操作した後、第２のタッチ操作として第２の操作具４０ｂを境界線４２を跨ぐようにタッチパネル２２の奥側（図５における上方）から手前側（図５における下方）にスライド操作する。そして、第２の操作具４０ｂをタッチパネル２２から離して第２のタッチ操作を確定する。この多点入力操作が行われた場合、操作プログラム３８は選択コンテンツのコピー（複写）の動作指示を選択し、他のプログラム１０側に出力する。これにより、他のプログラム１０は選択された画像データアイコン３０ｃと対応するコンテンツ（画像データ）のコピー動作処理を行う。尚、この多点入力操作はホールド操作したコンテンツをナイフで切り分ける動作、即ち複数に分割する動作をイメージさせる多点入力操作である。
【００４４】
上記の多点入力操作で複写指示された選択コンテンツの貼り付けは、図４(ｅ)と同様の多点入力操作により行う。例えば、図５(ｂ)に示すように、ウィンドウ表示３２内で第１の操作具４０ａをホールド操作し、第２の操作具４０ｂを左から右にスライドさせる第２のタッチ操作を行うと、他のプログラム１０は画像データアイコン３０ｃと対応する画像データをフォルダＡ内にコピーするとともに、図５(ｃ)に示すように、ウィンドウ表示３２内にも画像データアイコン３０ｃを表示する。
【００４５】
また、図５(ｄ)に示すように、第１の操作具４０ａで例えば画像データアイコン３０ｄの表示位置をホールド操作した上で、第２のタッチ操作として第２の操作具４０ｂを境界線４２を跨ぐようにタッチパネル２２の手前側（図５における下方）から奥側（図５における上方）にスライド操作する。そして、第２の操作具４０ｂをタッチパネル２２から離して第２のタッチ操作を確定する。この多点入力操作が行われた場合、操作プログラム３８は選択コンテンツの削除の動作指示を選択し、他のプログラム１０側に出力する。これにより、他のプログラム１０は画像データアイコン３０ｄと対応する選択コンテンツ（画像データ）の削除を行うとともに、図５(ｅ)に示すように、画像データアイコン３０ｄをタッチパネル２２の表示画面上から消去する。尚、この多点入力操作は、食事の際に食材の骨や食べたくないもの（不要なもの）をナイフで皿の奥（遠方）に寄せる動作をイメージさせる多点入力操作である。
【００４６】
また、図６(ａ)に示すように、第１の操作具４０ａで例えば画像データアイコン３０ｂをホールド操作した上で、ホールド操作位置の近傍で第２の操作具４０ｂをホールド操作する。その後、第２の操作具４０ｂをタッチパネル２２から離して第２のタッチ操作を確定する。この多点入力操作が行われた場合、操作プログラム３８は選択コンテンツの動作メニュー（コンテキストメニュー）を開く動作指示を選択し、他のプログラム１０側に出力する。これにより、他のプログラム１０は図６(ｂ)に示すように、画像データアイコン３０ｂに対するコンテキストメニュー３４をタッチパネル２２の画面上に表示する。尚、この多点入力操作はフォーク、ナイフを皿に付けて動かさず、次の動作を迷っている状態をイメージさせる多点入力操作である。
【００４７】
尚、前述のように、本願発明の第２の形態では、図６(ｃ)に示すように、第１の操作具４０ａによるアイコン３０の連続タップ操作により、複数のアイコン３０（コンテンツ）の選択を可能とする。そして、連続タップ操作の最後のアイコン３０において第１の操作具４０ａによるホールド操作を行い、このホールド操作中に第２の操作具４０ｂによる第２のタッチ操作を行うことで、選択した複数のコンテンツに対し第２のタッチ操作の内容に応じた動作指示を一括指示することができる。また、連続タップ操作後のホールド操作において第２のタッチ操作を行わず、第１の操作具４０ａをタッチパネル２２から離してホールド操作を確定すると、選択した全てのコンテンツに対する切取り動作指示を選択する。これは、フォークでコンテンツを次々に突き刺して皿から持ち上げることをイメージさせる入力操作である。尚、本願の操作プログラム３８では、基本的に第２の操作具４０ｂ（ナイフ）による複数コンテンツの選択は行わない。また、本願の第１の形態の操作プログラム３８においても基本的に複数コンテンツの選択処理は行わない。ただし、例えば操作プログラム３８の設定変更等を行うことで、第１の形態の操作プログラム３８においても連続タップ操作による複数コンテンツの選択処理を可能とするようにしても良い。
【００４８】
尚、本願の第１の形態及び第２の形態の操作方法及び操作プログラム３８では、アイコン３０の存在しない背景画面上のタップ操作により、選択コンテンツのキャンセルを行う。これは、皿の何もないところをフォークもしくはナイフで触れること（空白の選択）をイメージさせる入力操作である。また、第２のタッチ操作中に第１のタッチ操作のホールド操作を解除すると、操作途中の多点入力操作をキャンセルする。これは、フォークによる食材の固定（コンテンツの選択）を取り止めることをイメージさせる入力操作である。このように、操作プログラム３８ではナイフ、フォークの運びに基づく容易なタッチ操作で、選択コンテンツ及び多点入力操作のキャンセルを行うことができる。特に、多点入力操作のキャンセルをホールド操作中の操作具をタッチパネル２２から離すという極めて単純な操作で行うことができるため、ユーザが多点入力の操作中に誤入力に気付いた場合でも容易且つ直感的にこれをキャンセルし、多点入力操作前の状態に戻すことができる。よって、本願発明はキャンセル操作においても高い操作性を有することができる。
【００４９】
尚、本願発明は食事におけるナイフ、フォークの運びをメタファとするものである。よって、フォークのメタファである第１のタッチ操作に対しフォークを模したポインタを画面表示し、ナイフのメタファである第２のタッチ操作に対しナイフを模したポインタを画面表示するようにしても良い。この構成によれば、タッチパネル２２の画面上にフォークポインタとナイフポインタが表示されるため、ユーザに対しナイフ、フォークを連想させたより判り易い多点入力操作を実現することができる。
【００５０】
尚、操作プログラム３８はタッチパネル２２から入力する入力情報から第１のタッチ操作、第２のタッチ操作を解釈し、これを他のプログラム１０の動作指示に変換して出力するものである。よって、他のプログラム１０を変更することなく、電子機器２０に導入することができる。また、上記のタッチ操作以外のタッチ操作や他のプログラム１０独自の操作画面では、タッチパネル２２からの入力情報をそのまま他のプログラム１０側に出力することで、操作プログラム３８の入力操作と他のプログラム１０独自の入力操作とを併用することができる。
【００５１】
以上のように、本発明に係る電子機器の操作方法及び操作プログラム３８は、ユーザが実生活で行うナイフ、フォークの動きをメタファとしてタッチパネル２２の入力操作に適用する。このため、ユーザはタッチパネル２２への多点入力操作を直感的に行うことができる。また、多点入力操作とそれと対応する動作指示を容易に覚えることができる。これにより、本発明に係る電子機器の操作方法及び操作プログラム３８はタッチパネル２２の入力操作において、判り易く且つ間違いにくい入力操作を実現することができる。
【００５２】
尚、本発明は電子機器２０のコンピュータ（処理部２６）に上記の入力操作を実現させるためのプログラムを含むものである。これらのプログラムは、ＣＤ−ＲＯＭ等の他の記録媒体から読み取って電子機器２０に取り込んでも良いし、通信ネットワークを介した伝送により電子機器２０に取り込んでも良い。
【００５３】
また、上記の例は本発明の具体的な一例であるから、フローチャートの内容、多点入力操作と動作指示等はこれに限定されるものではなく、本発明は本発明の要旨を逸脱しない範囲で変更して実施することが可能である。
【符号の説明】
【００５４】
１０    他のプログラム
２０    電子機器
２２    タッチパネル
４０ａ  第１の操作具
４０ｂ  第２の操作具
３８    操作プログラム
【図１】
2014002632.tif 000003
【図２】
2014002632.tif 000004
【図３】
2014002632.tif 000005
【図４】
2014002632.tif 000006
【図５】
2014002632.tif 000007
【図６】
2014002632.tif 000008